(57)【要約】【課題】簡易な構成で、メンテナンス性に優れ、局部洗浄ノズルへの給水に混合される液体の貯留容器の交換を容易に行うことができ、貯留容器内への前記液体の補充作業を楽に行うことができる局部洗浄ノズルへの液体供給ユニットの提供。【解決手段】局部洗浄ノズルへの液体供給ユニット１は、局部洗浄ノズル７へ給水するノズル給水路１５に設けられるベンチュリ管１６と、液体１７が貯留される容器１８と、ベンチュリ管１６と容器１８との接続管１９を備える。容器１８は、液体１７の貯留部である容器本体２８と、容器本体２８の開口部２９を開閉する蓋３０とを有し、蓋３０は開口部２９に着脱可能にはめ込まれる。接続管１９が蓋３０を貫通した状態で、蓋３０が接続管１９に設けられ、開口部２９を蓋３０で閉じることで、接続管１９が容器本体２８内に挿入される。【選択図】図２
2016130408.tif 000002
【特許請求の範囲】
【請求項１】
便器の洗浄水が貯留されるロータンクへのタンク給水路から分岐して人体を洗浄する局部洗浄ノズルへ給水するノズル給水路に設けられるベンチュリ管と、
このベンチュリ管に供給される殺菌性を有する液体が貯留される容器と、
一端部が前記ベンチュリ管の喉部に接続され、他端部が前記容器に接続され、前記容器から前記ベンチュリ管に前記液体を給水する接続管とを備え、
前記容器は、前記液体が貯留される中空状の容器本体と、この容器本体に形成された開口部を開閉する蓋とを有し、
前記蓋が前記開口部を開閉するよう前記容器本体に着脱可能とされ、前記接続管が前記蓋を貫通した状態で、前記蓋が前記接続管に設けられ、前記開口部を前記蓋にて閉じることで、前記接続管の他端部が前記容器本体内に挿入される
ことを特徴とする局部洗浄ノズルへの液体供給ユニット。
【請求項２】
前記ベンチュリ管は、前記ノズル給水路に設けられることに代えて、前記タンク給水路の内、前記ノズル給水路との分岐部より上流側に設けられる
ことを特徴とする請求項１に記載の局部洗浄ノズルへの液体供給ユニット。
【請求項３】
前記接続管は、少なくとも一部が湾曲自在に形成されている
ことを特徴とする請求項１または請求項２に記載の局部洗浄ノズルへの液体供給ユニット。
【請求項４】
前記蓋は、前記容器本体の前記開口部に着脱可能にはめ込まれて設けられる
ことを特徴とする請求項１〜３のいずれか１項に記載の局部洗浄ノズルへの液体供給ユニット。
【請求項５】
前記液体は、硫黄、鉄、マグネシウム、アルミニウム、カルシウム、マンガン、チタン、ナトリウム、リン、カリウム、ニッケル、ケイ素、クロム、亜鉛、銅、フッ素、バナジウム、コバルト、リチウム、ストロンチウム、モリブデン、セレン、ゲルマニウム、ヨウ素、塩化物イオン、ルビジウム、セリウム、ホウ素、銀、ニオブ、ジルコニウム、ランタン、ガリウムおよびカドミウムを含有するミネラル水とされる
ことを特徴とする請求項１〜４のいずれか１項に記載の局部洗浄ノズルへの液体供給ユニット。
【発明の詳細な説明】
【技術分野】
【０００１】
本発明は、肛門などを洗浄する水や温水に、殺菌効果または制菌効果を向上させる液体を混合させることができる局部洗浄ノズルへの液体供給ユニットに関するものである。
【背景技術】
【０００２】
下記特許文献１の従来の技術の欄や発明の実施の形態の欄には、水を供給する主経路と薬剤を供給する薬剤経路とが混合部で合流され、この混合部と洗浄ノズルとがノズル連通管により接続された衛生洗浄装置が開示されている。この衛生洗浄装置では、薬剤経路に設けられたポンプによって、薬剤タンクから混合部に薬剤が供給される。混合部では、主経路を通過した水と薬剤経路を通過した薬剤とが混合され、その混合水がノズル連通管を介して洗浄ノズルに供給される。
【先行技術文献】
【特許文献】
【０００３】
【特許文献１】特開２０００−０６４３９４号公報
【発明の概要】
【発明が解決しようとする課題】
【０００４】
しかしながら、従来では、薬剤の供給にポンプが用いられており、構成が複雑で大掛かりなものとなる。そのため、設置に手間を要する上、コスト高を招くものであった。また、ポンプのオンオフなどを制御する必要があり、構成がより複雑化するものである。さらに、ポンプのメンテナンスを要するものであった。
【０００５】
また、薬剤が貯留された別の薬剤タンクに交換する場合、薬剤タンクと薬剤経路との接続を解除後、薬剤経路と別の薬剤タンクとを接続する必要があるが、そのような解除および接続を、簡易な構成で如何に容易にできるようにするかという点について、全く考慮されていない。また、薬剤タンクに薬剤を補充する場合の作業性についても考慮されていない。
【０００６】
薬剤タンクへの薬剤の補充作業は、薬剤タンクと薬剤経路とが接続された状態で、トイレルーム内で行われる。トイレルーム内には、便器やロータンクの他に、芳香剤などを置くことができる棚などが設置されており、それらが薬剤の補充作業時に邪魔になり、作業がし難いことがあった。そこで、薬剤タンクと薬剤経路との接続を解除して、作業し易い場所で、薬剤タンクへの薬剤の補充を行うことが考えられるが、この場合、前述した薬剤タンクと薬剤経路との接続が問題となる。
【０００７】
本発明は、このような問題に鑑みてなされたものであり、その主たる目的は、簡易な構成で、メンテナンス性に優れ、局部洗浄ノズルに供給される水や温水に混合される液体の貯留容器の交換を容易に行うことができ、貯留容器内への前記液体の補充作業を楽に行うことができる局部洗浄ノズルへの液体供給ユニットを提供することにある。
【課題を解決するための手段】
【０００８】
上記目的を達成するための本発明に係る局部洗浄ノズルへの液体供給ユニットは、便器の洗浄水が貯留されるロータンクへのタンク給水路から分岐して人体を洗浄する局部洗浄ノズルへ給水するノズル給水路に設けられるベンチュリ管と、このベンチュリ管に供給される殺菌性を有する液体が貯留される容器と、一端部が前記ベンチュリ管の喉部に接続され、他端部が前記容器に接続され、前記容器から前記ベンチュリ管に前記液体を給水する接続管とを備え、前記容器は、前記液体が貯留される中空状の容器本体と、この容器本体に形成された開口部を開閉する蓋とを有し、前記蓋が前記開口部を開閉するよう前記容器本体に着脱可能とされ、前記接続管が前記蓋を貫通した状態で、前記蓋が前記接続管に設けられ、前記開口部を前記蓋にて閉じることで、前記接続管の他端部が前記容器本体内に挿入されることを特徴とする。
【０００９】
また、本発明に係る局部洗浄ノズルへの液体供給ユニットは、前記ベンチュリ管は、前記ノズル給水路に設けられることに代えて、前記タンク給水路の内、前記ノズル給水路との分岐部より上流側に設けられることを特徴とする。
【００１０】
また、本発明に係る局部洗浄ノズルへの液体供給ユニットは、前記接続管は、少なくとも一部が湾曲自在に形成されていることを特徴とする。
【００１１】
また、本発明に係る局部洗浄ノズルへの液体供給ユニットは、前記蓋は、前記容器本体の前記開口部に着脱可能にはめ込まれて設けられることを特徴とする。
【００１２】
さらに、本発明に係る局部洗浄ノズルへの液体供給ユニットは、容器に貯留される液体が、硫黄、鉄、マグネシウム、アルミニウム、カルシウム、マンガン、チタン、ナトリウム、リン、カリウム、ニッケル、ケイ素、クロム、亜鉛、銅、フッ素、バナジウム、コバルト、リチウム、ストロンチウム、モリブデン、セレン、ゲルマニウム、ヨウ素、塩化物イオン、ルビジウム、セリウム、ホウ素、銀、ニオブ、ジルコニウム、ランタン、ガリウムおよびカドミウムを含有するミネラル水とされることを特徴とする。
【発明の効果】
【００１３】
本発明に係る局部洗浄ノズルへの液体供給ユニットによれば、ノズル給水路に設けられるベンチュリ管の喉部と容器とが接続管により接続される。従って、局部洗浄ノズルへの給水がベンチュリ管を通過することで、その喉部により給水の流速が速まり、接続管を介して、容器から液体を吸引することができる。このようにして給水への液体の混合がベンチュリ管による吸引にてなされるため、別途、前記液体の供給ポンプを設ける必要がなく、簡易な構成とすることができる。また、前記液体の供給ポンプが設けられないため、そのポンプのメンテナンス作業を行う必要がない。
【００１４】
本発明に係る局部洗浄ノズルへの液体供給ユニットによれば、蓋が容器本体に着脱可能とされた容器が用いられ、容器の蓋が接続管に設けられるため、前記液体の補充の際に容器を交換する場合、容器本体から取り外された蓋で、液体が貯留された別の容器本体の開口部を閉じるだけでよい。これにより、容器と接続管との解除、および別の容器と接続管との接続を行うことができるため、それらの作業を容易に行うことができ、ひいては容器の交換を容易に行うことができる。また、容器の蓋が接続管に設けられるため、蓋を取り外して、液体の注入口となる前記開口部を開口させることで、同時に容器と接続管との接続を解除することができる。従って、容器に液体を補充する場合、補充作業のし易い場所に容器本体を持ち運ぶことができ、容器本体への液体の補充を楽に行うことができる。液体の補充後、容器本体の開口部を蓋で閉じることで、容器と接続管とを接続することができる。容器と接続管との解除および接続は、容器本体に対する蓋の着脱によりなされ、簡易な構成で容易に行うことができる。
【００１５】
また、本発明に係る局部洗浄ノズルへの液体供給ユニットによれば、タンク給水路の内、ノズル給水路との分岐部よりも上流側にベンチュリ管が設けられることで、局部洗浄ノズルへの給水だけでなく、ロータンクへの給水にも、容器からの液体を混合することができる。
【００１６】
また、本発明に係る局部洗浄ノズルへの液体供給ユニットによれば、接続管の少なくとも一部が湾曲自在に形成されていることで、ベンチュリ管を縦横どちらの方向にも配置することができる。従って、ベンチュリ管が設けられる給水路が、縦横どちらの方向へ延出していても、容易に対応することができる。
【００１７】
また、本発明に係る局部洗浄ノズルへの液体供給ユニットによれば、容器本体と蓋とがはめ込み構造により着脱可能とされていることで、ねじ込み構造により着脱可能とされている場合と比較して、容易に着脱することができる。従って、容器の交換や、容器への液体の補充を容易に行うことができる。
【００１８】
さらに、液体が、硫黄、鉄、マグネシウム、アルミニウム、カルシウム、マンガン、チタン、ナトリウム、リン、カリウム、ニッケル、ケイ素、クロム、亜鉛、銅、フッ素、バナジウム、コバルト、リチウム、ストロンチウム、モリブデン、セレン、ゲルマニウム、ヨウ素、塩化物イオン、ルビジウム、セリウム、ホウ素、銀、ニオブ、ジルコニウム、ランタン、ガリウムおよびカドミウムを含有するミネラル水とされることで、効果的な殺菌を行うことができる点を満足しつつ、人体に優しい液体とすることができる。
【図面の簡単な説明】
【００１９】
【図１】本発明の局部洗浄ノズルへの液体供給ユニットの一実施例の使用状態を示す概略斜視図である。
【図２】図１の局部洗浄ノズルへの液体供給ユニットの概略構成図であり、一部を断面にして示すと共に使用状態を示している。
【図３】本発明の局部洗浄ノズルへの液体供給ユニットの一実施例の別の使用状態を示す概略構成図である。
【発明を実施するための形態】
【００２０】
以下、本発明の具体的実施例を図面に基づいて詳細に説明する。
【００２１】
図１および図２は、本発明の局部洗浄ノズルへの液体供給ユニットの一実施例の使用状態を示す図であり、図１は概略斜視図、図２は一部を拡大して示すと共に断面にして示す概略構成図である。本実施例の局部洗浄ノズルへの液体供給ユニット１は、肛門などの人体の洗浄水の殺菌性または制菌性（以下、単に殺菌性という）を向上させるものであり、図１に示す水洗トイレ２に適用される。水洗トイレ２は、便器３と、便器３の洗浄水が貯留されるロータンク４と、便器３の上に配置される便座５と、便座５の開口部を開閉する便蓋６と、肛門などの人体への洗浄水が吐出される局部洗浄ノズル７と、便座５、便蓋６および局部洗浄ノズル７が設けられる便座本体８とを備える。
【００２２】
便器３は、使用者が腰掛けて使用できる洋式タイプである。ロータンク４は、中空状に形成されており、トイレ室内の壁面に設けられる。ロータンク４と便器３とは、洗浄水路９によって接続されており、ロータンク４に設けられたレバー１０の操作により、洗浄水路９を介して、ロータンク４から便器３内へ洗浄水が供給されて、便器３を洗浄することができる。便座５は、便座本体８に回動可能に設けられており、使用者が腰掛ける場合に、便器３上に配置することができる。便蓋６は、便座本体８に回動可能に設けられており、便座５の開口部を開閉することができる。局部洗浄ノズル７は、便座本体８に進退可能に設けられており、洗浄時に便器３内に突出させることができる。便座本体８は、内部に、局部洗浄ノズル７の進退動作を制御したり、局部洗浄ノズル７から吐出される洗浄水の温度や便座５の温度などを制御したりする制御手段が設けられており、コントローラ１１のスイッチ１２操作によって、局部洗浄ノズル７の進退動作、洗浄水や便座５の温度調節を行うことができる。
【００２３】
水洗トイレ２では、ロータンク４の壁面に、ロータンク４へ給水するタンク給水路１３が接続されており、タンク給水路１３には止水栓１４が設けられている。タンク給水路１３の止水栓１４より下流側には、局部洗浄ノズル７へ給水するノズル給水路１５の一端部が接続されており、ノズル給水路１５の他端部には、局部洗浄ノズル７が接続されている。このようにしてタンク給水路１３から分岐するよう設けられたノズル給水路１５の中途に、本実施例の局部洗浄ノズルへの液体供給ユニット１が設けられる。本実施例の液体供給ユニット１は、ノズル給水路１５に設けられるベンチュリ管１６と、殺菌性を有する液体１７が貯留される容器１８と、ベンチュリ管１６と容器１８とを接続する接続管１９とを備える。
【００２４】
ベンチュリ管１６は、段付き円筒状に形成されており、軸方向一端側と軸方向他端側とに配置される大径部２０，２１と、大径部２０，２１間に配置される小径部２２とを有している。大径部２０は、軸方向他端側外周壁が他端側（図２における下方）へ行くに従って縮径するよう形成されている。大径部２１は、軸方向一端側外周壁が他端側へ行くに従って拡径するよう形成されている。小径部２２は、軸方向一端部が大径部２０の他端部に連接されていると共に、軸方向他端部が大径部２１の一端部に連接されている。小径部２２の外周壁には、径方向外側へ延出して、円筒状の液体入口管２３が連接されている。小径部２２は、ベンチュリ管１６の喉部２２とされ、この喉部２２の内穴と液体入口管２３の内穴とが互いに連通している。
【００２５】
本実施例では、ノズル給水路１５は、タンク給水路１３と連通している上流側ノズル給水路２４と、便座本体８に接続される下流側ノズル給水路２５とを有しており、それらの上流側ノズル給水路２４と下流側ノズル給水路２５とがベンチュリ管１６により接続される。具体的には、ベンチュリ管１６の一端側の大径部２０が継手２６を介して上流側ノズル給水路２４に連通して接続される一方、他端側の大径部２１が継手２７を介して下流側ノズル給水路２５に連通して接続される。
【００２６】
容器１８は、上方へ開口した有底円筒状に形成された中空状の容器本体２８と、容器本体２８に形成された上方への開口部２９を開閉する蓋３０とを有している。容器本体２８は、段付き円筒状に形成されており、下方の大径部３１と、上方の小径部３２とを有している。大径部３１の上端部は、上方へ行くに従って縮径するよう形成されており、この縮径部から上方へ延出して小径部３２が連接されている。すなわち、小径部３２の上部開口が、容器本体２８に形成された上方への開口部２９とされる。小径部３２の上端部の外周壁には、径方向外側へ延出して、円環状のツバ部３３が形成されている。ツバ部３３の外周縁は、略円弧状に形成されている。
【００２７】
中空状の容器本体２８の内部には、殺菌性を有する濃縮された液体１７が貯留される。この液体１７は、殺菌できる薬液であれば特に問わないが、本実施例では、殺菌性を有するミネラル水とされる。このミネラル水は、硫黄、鉄、マグネシウム、アルミニウム、カルシウム、マンガン、チタン、ナトリウム、リン、カリウム、ニッケル、ケイ素、クロム、亜鉛、銅、フッ素、バナジウム、コバルト、リチウム、ストロンチウム、モリブデン、セレン、ゲルマニウム、ヨウ素、塩化物イオン、ルビジウム、セリウム、ホウ素、銀、ニオブ、ジルコニウム、ランタン、ガリウムおよびカドミウムなどを含有している。本実施例では、このミネラル水は、ｐＨが２．６〜３．０の範囲である。
【００２８】
蓋３０は、下方へ開口した短円筒状とされ、弾性を有する部材から形成されている。蓋３０の下端部には、径方向内側へ延出して、円環状の延出部３４が形成されている。延出部３４は、内径が前記ツバ部３３の外径よりも小さく形成されている。従って、蓋３０は、容器本体２８の開口部２９に着脱可能にはめ込むことができる。具体的には、押し込みによって蓋３０が弾性変形しつつ、延出部３４がツバ部３３を上方側から下方側へ乗り越えることで、容器本体２８の小径部３２に蓋３０が取り付けられる。逆に、蓋３０を取り外す際には、引っ張りによって蓋３０が弾性変形しつつ、延出部３４がツバ部３３を下方側から上方側へ乗り越えることになる。また、蓋３０の上壁には、上下方向へ貫通して、円形の穴３５が形成されている。
【００２９】
接続管１９は、筒状とされ、湾曲自在な弾力性のあるホースに形成されている。この接続管１９には、グロメット３６を介して、前述した容器１８の蓋３０が設けられる。グロメット３６は、円筒状に形成されており、軸方向両端部には、径方向外側へ延出して、円環状のツバ部３７，３７が形成されている。接続管１９がグロメット３６の内穴を貫通した状態で、接続管１９にグロメット３６が設けられる。また、グロメット３６が蓋３０に形成された穴３５を貫通しつつツバ部３７，３７で蓋３０の上壁を挟んだ状態で、蓋３０にグロメット３６が設けられる。このようにして、接続管１９が蓋３０を貫通した状態で、接続管１９に蓋３０が設けられる。
【００３０】
図１および図２に示されるように、接続管１９は、その一端部が継手３８を介して液体入口管２３の先端部に接続されている。この際、接続管１９の内穴と液体入口管２３の内穴とは、互いに連通している。このようにして接続管１９の一端部がベンチュリ管１６の喉部２２に接続されており、容器本体２８に蓋３０をはめ込むことで、容器１８と接続管１９の他端部が接続されて、接続管１９の他端部が容器本体２８内に挿入されて液体１７の中に入る。これにより、ベンチュリ管１６と容器１８とが接続管１９を介して互いに連通され、容器１８内の液体１７をベンチュリ管１６に供給することができる。
【００３１】
次に、本実施例の液体供給ユニット１を用いた局部洗浄ノズル７へ給水するノズル給水路１５への液体供給について説明する。具体的には、給水がタンク給水路１３を介してノズル給水路１５を通過することで、つまり給水がベンチュリ管１６をその一端部側から他端部側へ通過することで、ベンチュリ管１６の喉部２２によって給水の流速が速まり、接続管１９を介して、容器１８内の液体１７を吸引することができる。これにより、ノズル給水路１５を通過する給水に容器１８内の液体１７を混合することができ、この混合水を局部洗浄ノズル７へ供給することができる。
【００３２】
図３は、本実施例の局部洗浄ノズルへの液体供給ユニットの別の使用状態を示す概略構成図であり、一部を拡大して示すと共に断面にして示している。図３の使用状態における水洗トイレおよび液体供給ユニットも基本的には、図１および図２と同様の構成である。そこで、以下では、両者の異なる点を中心に説明し、対応する箇所には同一の符号を付して説明する。
【００３３】
図１および図２に示す使用状態では、液体供給ユニット１のベンチュリ管１６がノズル給水路１５に設けられたが、図３に示す使用状態では、液体供給ユニット１のベンチュリ管１６がタンク給水路１３のノズル給水路１５との分岐部よりも上流側に、ベンチュリ管１６が設けられる。
【００３４】
図３に示されるように、タンク給水路１３の内、ノズル給水路１５との分岐部よりも上流側は、上流側タンク給水路３９と下流側タンク給水路４０とを有しており、それらの上流側タンク給水路３９と下流側タンク給水路４０とがベンチュリ管１６により接続される。具体的には、ベンチュリ管１６は、大径部２０が継手４１を介して上流側タンク給水路３９に連通して接続される一方、大径部２１が継手４２を介して下流側タンク給水路４０に連通して接続される。
【００３５】
図３に示す使用状態の場合、給水がタンク給水路１３を通過することで、つまり給水がベンチュリ管１６をその大径部２０側から大径部２１側へ通過することで、ベンチュリ管１６の喉部２２によって給水の流速が速まり、接続管１９を介して、容器１８内の液体１７を吸引することができる。これにより、タンク給水路１３を通過する給水に容器１８内の液体１７を混合することができ、この混合水をロータンク４と局部洗浄ノズル７とへ供給することができる。
【００３６】
本実施例の局部洗浄ノズルへの液体供給ユニット１によれば、ノズル給水路１５を通過する給水やタンク給水路１３を通過する給水に、容器１８内の液体１７を混合する際、その混合がベンチュリ管１６による液体１７の吸引によりなされることで、別途、容器１８内の液体１７を各給水路へ供給するためのポンプなどを設ける必要がなく、簡易な構成とすることができる。また、ポンプのメンテナンス作業を行う必要がなく、それらにかかるコストと手間を省略することができる。
【００３７】
また、本実施例の液体供給ユニット１によれば、容器本体２８に着脱可能に設けられる蓋３０が接続管１９に設けられるため、液体１７の補充を容器１８の交換にて行う場合、容器本体２８から蓋３０を取り外し、その蓋３０で液体１７が貯留された別の容器本体２８の開口部２９を閉じることで、容器１８と接続管１９との接続の解除および接続と同時に容器１８の交換を行うことができる。従って、容器１８と接続管１９との接続の解除、および接続管１９と別の容器１８との接続にかかる手間を低減することができ、容器１８の交換を容易に行うことができる。容器１８内に直接液体１７を補充する場合には、容器本体２８から蓋３０を取り外すことで、容器１８と接続管１９との接続が解除され、トイレ室内から液体１７を注ぎ易い場所へ容器本体２８を持ち運ぶことができ、液体１７の補充を楽に行うことができる。液体１７の補充後には、容器本体２８の開口部２９を蓋３０で閉じることで、容器１８と接続管１９とを接続することができる。
【００３８】
これに加えて、本実施例の液体供給ユニット１によれば、蓋３０が容器本体２８に着脱可能にはめ込まれるため、蓋３０の開閉を容易に行うことができる。また、本実施例の液体供給ユニット１によれば、接続管１９が湾曲自在なホースに形成されるため、接続管１９を湾曲させることで、容器１８を床面に設置した状態で、ベンチュリ管１６を上下方向へ沿うよう配置することができる。また、容器１８を床面に設置した状態で、ベンチュリ管１６を左右方向へ沿うよう配置することもできるし、接続管１９の湾曲箇所を調整することで、ベンチュリ管１６を上下方向へ沿うよう配置する際に、ベンチュリ管１６の設けられる高さを調整することもできる。また、本実施例の液体供給ユニットによれば、継手により既存のノズル給水路１５やタンク給水路１３にベンチュリ管１６を取り付けることができ、既存の水洗トイレ２にも容易に設置することができる。
【００３９】
さらに、本実施例の液体供給ユニット１によれば、液体１７が、硫黄、鉄、マグネシウム、アルミニウム、カルシウム、マンガン、チタン、ナトリウム、リン、カリウム、ニッケル、ケイ素、クロム、亜鉛、銅、フッ素、バナジウム、コバルト、リチウム、ストロンチウム、モリブデン、セレン、ゲルマニウム、ヨウ素、塩化物イオン、ルビジウム、セリウム、ホウ素、銀、ニオブ、ジルコニウム、ランタン、ガリウムおよびカドミウムを含む濃縮されたミネラル水とすれば、人体に優しい液体で、肛門などの人体を殺菌することができる。従って、肛門付近が肌荒れを起こしたり、かゆみが生じたりすることなどを抑制することができる。
【００４０】
次に示す表１〜表９は、ミネラル水の殺菌効果についての試験結果を示す表であり、表１はカンピロバクターに対する殺菌効果を示す表、表２は大腸菌に対する殺菌効果を示す表、表３は緑膿菌に対する殺菌効果を示す表、表４はサルモネラ菌に対する殺菌効果を示す表、表５は赤痢菌に対する殺菌効果を示す表、表６は黄色ブドウ球菌に対する殺菌効果を示す表、表７は化膿連鎖球菌に対する殺菌効果を示す表、表８はコレラ菌に対する殺菌効果を示す表、表９は腸炎ビブリオに対する殺菌効果を示す表である。
【００４１】
【表１】
2016130408.tif 000003
【００４２】
【表２】
2016130408.tif 000004
【００４３】
【表３】
2016130408.tif 000005
【００４４】
【表４】
2016130408.tif 000006
【００４５】
【表５】
2016130408.tif 000007
【００４６】
【表６】
2016130408.tif 000008
【００４７】
【表７】
2016130408.tif 000009
【００４８】
【表８】
2016130408.tif 000010
【００４９】
【表９】
2016130408.tif 000011
【００５０】
試験方法は、次のとおりである。精製水５００ｍＬでミネラル水４ｃｃを１２５倍に希釈した希釈水１０ｍＬに、試験菌液を０．１ｍＬ接種して試験液とした。ここで、ミネラル水は、硫黄６６０００ｍｇ／Ｌ、鉄１４０００ｍｇ／Ｌ、マグネシウム６６００ｍｇ／Ｌ、アルミニウム９５００ｍｇ／Ｌ、カルシウム９９ｍｇ／Ｌ、マンガン１３０ｍｇ／Ｌ、チタン１２００ｍｇ／Ｌ、ナトリウム１２０ｍｇ／Ｌ、リン４００ｍｇ／Ｌ、カリウム３００ｍｇ／Ｌ、ニッケル８．０ｍｇ／Ｌ、ケイ素１０ｍｇ／Ｌ、クロム１６ｍｇ／Ｌ、亜鉛３１ｍｇ／Ｌ、銅８．４ｍｇ／Ｌ、フッ素４８ｍｇ／Ｌ、バナジウム２５ｍｇ／Ｌ、コバルト４．３ｍｇ／Ｌ、リチウム２３ｍｇ／Ｌ、ストロンチウム０．３ｍｇ／Ｌ、モリブデン０．５ｍｇ／Ｌ、セレン＜０．１ｍｇ／Ｌ、ゲルマニウム０．２ｍｇ／Ｌ、ヨウ素＜０．１ｍｇ／Ｌ、塩化物イオン４４００ｍｇ／Ｌ、ルビジウム０．３ｍｇ／Ｌ、セリウム８００ｍｇ／Ｌ、ホウ素０．１ｍｇ／Ｌ、銀＜０．１ｍｇ／Ｌ、ニオブ１．３ｍｇ／Ｌ、ジルコニウム０．４ｍｇ／Ｌ、ランタン４．０ｍｇ／Ｌ、ガリウム３．３ｍｇ／Ｌおよびカドミウム０．０３ｍｇ／Ｌを含有している。なお、「＜」は、未満を示している。
【００５１】
また、試験菌液は、カンピロバクター、黄色ブドウ球菌およびコレラ菌の場合、生理食塩水に各菌を浮遊させたものとし、腸炎ビブリオの場合、３％塩化ナトリウム溶液に浮遊させたものとし、その他の場合、精製水に浮遊させたものとした。各菌に対応する試験液を室温（３５℃±１）で保存し、各表に記載の時間後に、試験液をＳＣＤＬＰ培地（日本製薬株式会社製）で直ちに１０倍に希釈し、試験液中の生菌数を菌数測定用培地を用いて測定した。各表における開始時とは、菌液接種直後の生菌数を測定したものである。なお、腸炎ビブリオの場合、３％塩化ナトリウム加ＳＣＤＬＰ培地で希釈した。比較例として、精製水１０ｍＬに、試験菌液を０．１ｍＬ接種して比較液とし、同様にして生菌数を測定した。各表から分かるように、ミネラル水を用いた試験液と精製水を用いた比較液とを比較して、ミネラル水の殺菌効果が確認された。
【００５２】
本発明の局部洗浄ノズルへの液体供給ユニットは、前記実施例の構成に限らず、適宜に変更可能である。たとえば、前記実施例では、接続管１９は、湾曲自在なホースとされたが、少なくとも一部が湾曲自在であれば足り、その構成の一つとして、接続管の少なくとも一部が蛇腹状に形成されていればよい。また、前記実施例では、円筒状の蓋３０内に容器本体２８の小径部３２がはめ込まれる構成とされたが、これに限定されるものではなく、容器本体２８の開口部２９に柱状に形成された蓋を差し込む構成でもよい。また、蓋を容器本体にねじ込む構成でもよい。さらに、前記実施例では、ロータンク４上に手洗いが設けられていないが、手洗いを設けてもよい。この場合、タンク給水路１３に液体供給ユニット１のベンチュリ管１６を設けることで、手洗いの水にもミネラル水を混合することができる。
【符号の説明】
【００５３】
１  局部洗浄ノズルへの液体供給ユニット
３  便器
４  ロータンク
７  局部洗浄ノズル
１３  タンク給水路
１５  ノズル給水路
１６  ベンチュリ管
１７  液体
１８  容器
１９  接続管
２２  喉部
２８  容器本体
２９  開口部
３０  蓋
【図１】
2016130408.tif 000012
【図２】
2016130408.tif 000013
【図３】
2016130408.tif 000014